(57)【要約】      （修正有）【課題】使用できる利用者数や設置形状に合わせ、線形、円形、及び複列形等に整然と組み合わすことができるテーブルを提供する。【解決手段】天板１は平面形状を六角形とし、向かい合う平行な長辺３及び長辺４と、長辺３に接する長辺５及び長辺６の狭角を各々１２０度とし、これら四辺を全て等長とし、短辺７及び短辺８の長さを他四辺の長さの概ね半分の等長とし、天板１を伸縮式脚部により適切に支持することにより、多用途でフレキシブルなテーブルを構成する。【選択図】図１
0003140289.tif 000002
【実用新案登録請求の範囲】
【請求項１】
向かい合う平行な二辺と、その一辺に接する二辺の狭角が各々１２０度に設定され、これら四辺が全て等長でかつ残る二辺の長さが他四辺の長さの概ね半分で構成された六角形の天板を備えることを特徴とするテーブル。
【請求項２】
天板高さを容易に可変し固定することのできる請求項１のテーブル。
【考案の詳細な説明】
【技術分野】
【０００１】
本考案はフレキシブルに使うことのできるテーブルの製造に関する
【背景技術】
【０００２】
テーブルは天板部及び脚部等により構成される。このうち天板は、その上に物品を積載する、あるいはその上で作業をする等、テーブルを機能させる上で最も重要な部位である。したがって、天板の形状や高さは、材質の硬度や色相等のインテリア性、あるいは化学的耐久性と共に、テーブルの良否を決定する重要な要素である。また、一般的なテーブルは方形、円形、あるいはこれらの複合形が多く、天板の外形寸法や床からの高さは概ね固定されているために、テーブルの使用できる人数や用途が限られることが多い。
【０００３】
天板上で手作業等を行う一般的な用途を前提とすれば、テーブルの高さは、作業者の腕の高さ等を基準に決定するのが良く、作業者一人の必要ワークスペース、作業者の人数、可能重複ワークスペース、及び同時に積載する物品等を考慮し決定するのが良い。しかしながら、テーブル利用用途の拡大、あるいは使用スタイルの変化により、天板に要求される大きさや床からの高さに変化が生じた場合、従来の定常的な形状や高さの固定的なテーブルでは、用途に適した天板にするためには多大な改造を強いられるが多い。
【特許文献１】実公平６−８６５６８号公報
【特許文献２】実公平５−２９４２８号公報
【考案の開示】
【考案が解決しようとする課題】
【０００４】
従来のテーブルでは、制作の容易性等を優先させるあまり、方形、円形、あるいはこれらの複合形が多く、使用できるテーブルの並べ方は数パターンに限られるのが一般的であった。また、バタフライ式等の一部の可動式天板においても、各々の形状に適した使用者数の変化は数名程度であった。また、従来の組み合わせ型テーブルでは同一形状の複数のテーブルを、線形、円形、及び複列形のいずれにも整然と組み合わせることは難しく、使用できる利用者数や設置形状に合わせ、よりフレキシブルに対応できるテーブルが望まれていた。
【０００５】
そこでこの考案の目的は、かかる従来の問題を解決するためになされたものであって、住宅、事業所、及び福祉施設等の空間において、設置状況にフレキシブルに対応できるテーブルの製造法を提供することである。
【課題を解決するための手段】
【０００６】
テーブルの天板平面形状を長い四辺と短い二辺からなる六角形とする。向かい合う平行な二辺とその一辺に接する二辺の狭角を各々１２０度に、これら四辺を全て等長でかつ残る二辺の長さを他四辺の長さの概ね半分の等長で構成する。
【０００７】
相似形であれば必要な機能を満たす限り大きさは限定しない。ただし車椅子を使用する場合は、天板の長辺の長さを約５５センチメートル程度とする。
【０００８】
天板は、テーブルとして機能上必要な硬度、表面平滑度、耐久性、及び色相などのインテリア性を持ち合わせているものとする。
【０００９】
脚部は、高さを容易に可変でき、必要高さに確実に固定できるものとするが、用途を限定すれば所定の天板高さにとなるような固定式脚部としても良い。
【００１０】
脚部は、テーブル全体の安定度を十分に高い配置、脚強度、及び取り付け方法とする。
【００１１】
脚部は、天板に対しなるべく外周近くに配し、補強桟等の天板下への出っ張りは可能な限り小さくし、もって使用者の下肢や車椅子等の妨げにならないのが良い。ただし、テーブルの用途を限定すれば、脚の天板支持位置を天板の中央部にしても良い。
【００１２】
テーブルを構成する天板及び脚部等は、各端部を面取りする等、安全に配慮するのが良く、機能上支障のない限り完全な等長とならずとも良い。
【００１３】
本テーブルを構成する材質は、テーブルとしての機能や耐久性を満たすものであって、色相等、インテリア性に配慮されたものとするのが良い。
【考案の効果】
【００１４】
本考案のテーブルにおいては、線形、円形、及び複線型等、目的に応じフレキシブルに組み合わせて並べ、使用することができる。また、基本となる単一の天板形状のテーブルを複数並べることによって多様な全体形状に組み合わせることができるため、量産性を高めることができる。
【００１５】
脚部を天板の左右外周部に配置し、補強部を含めた天板底面高さを車椅子肘掛け上面より高くすれば、使用者の脚部の周囲に必要な空間が生じ、テーブルの前後どちら側からでも車椅子を使用することができるため、多様な向きに設置したテーブルのフレキシビリティを一層高めることができる。
【００１６】
天板の長辺長さを約５５センチメートルとし、天板を所定の位置の脚部より支持すれば、標準的な車椅子をした場合において、天板下に車椅子を使用するのに必要な空間が生じ、車椅子の足先が天板からはみ出さないため、複数のテーブルを向かい合わせかつ車椅子を支障なく使用することができる。
【考案を実施するための最良の形態】
【００１７】
以下、図面に基づいて本考案のテーブルを実現する形態を説明する。
【実施例】
【００１８】
本実用新案登録のテーブルは、図１、図２、及び図３に示すように、六角形の天板１、脚２を主要な構成としている。
【００１９】
天板１は平面形状を六角形とし、向かい合う平行な長辺３及び長辺４と、長辺３に接する長辺５及び長辺６の狭角を各々１２０度とし、これら四辺を全て等長とする。車椅子１台用とする場合、天板１の長辺３、長辺４、長辺５、及び長辺６の幅は約５５センチメートル、長辺３と長辺４の距離は約６０センチメートルとする。
【００２０】
短辺７及び短辺８の長さを他四辺の長さの概ね半分とする。この場合、長辺５と短辺７の狭角、及び長辺６と短辺８の狭角は共に約９０度となる。テーブルを円形に並べる場合、隣接するテーブルの短辺と合わせ一体として他の長辺の如き一辺を構成する。
【００２１】
テーブルの組み合わせ方を限定すれば各辺はやや湾曲させても良く、特に円形に並べる場合、長辺４、短辺７、及び短辺８は、長辺５の延長線と長辺６の延長線の交点を中心とする円に近似させるよう湾曲させても良い。
【００２２】
脚２は天板１の外周部に近い所に配し、かつテーブル全体の安定度の高い位置、及び形状とし、図の本数及び形状に限定されるものではない。脚２は高さ調節が容易なものとし天板１を所定の高さに固定する。テーブルの用途を限定すれば、テーブル高さを固定したものでも良く、また脚の天板支持位置を天板の中心部としても良い。
【図面の簡単な説明】
【００２３】
【図１】実施例に係わるテーブルの上面図である。
【図２】実施例に係わるテーブルの正面図である。
【図３】実施例に係わるテーブルの側面図である。
【図４】実施例に係わるテーブル２台を正面に向き合わせ設置した例である。
【図５】実施例に係わるテーブル２台を図４の逆に向き合わせ設置した例であって、例えば、介助者がテーブル側近に配し食事等において介助を行うのに適する配置である。
【図６】実施例に係わるテーブル２台を横に仰木状に並べ設置した例であって、ソシオペタル的に協力的な作業を行うのに適する配置である。
【図７】実施例に係わるテーブル４台を中央集約的に並べ設置した例であって、４人が協力的な同時作業を行うのに適する配置である。
【図８】実施例に係わるテーブル４台を線状に並べ設置した例であって、ソシオフーガル的に適する配置である。
【図９】実施例に係わるテーブル２台ずつを仰木状に並べ二組とし、その一組を１８０度回転させ線状に並べ設置した例であって、図６及び図８の中間的な配置である。
【図１０】実施例に係わるテーブル６台を円状に並べ設置した例であって、６人が協力的な同時作業を行うのに適する配置、あるいは中央の空間に器物、植栽、あるいは柱等を配するのに適する配置である。天板の長辺を５５センチメートルとすれば、最大で直径約９５センチメートルの円柱の回りを取り囲み設置することができる。
【図１１】実施例に係わるテーブル６台を二列に並べ設置した例であって、空間効率を高めるのに効果的な配置である。
【符号の説明】
【００２４】
１  天板
２  脚
３  長辺
４  長辺
５  長辺
６  長辺
７  短辺
８  短辺
９  本テーブル
１０  車椅子
【図１】
0003140289.tif 000003
【図２】
0003140289.tif 000004
【図３】
0003140289.tif 000005
【図４】
0003140289.tif 000006
【図５】
0003140289.tif 000007
【図６】
0003140289.tif 000008
【図７】
0003140289.tif 000009
【図８】
0003140289.tif 000010
【図９】
0003140289.tif 000011
【図１０】
0003140289.tif 000012
【図１１】
0003140289.tif 000013